(57)【特許請求の範囲】
【請求項１】
容器を引っ掛けて入手するための容器引っ掛け棒であって、
隙間を介して対向する一対の爪部を有する引っ掛け部と、
前記引っ掛け部から延びる筒型状の柄部と、
前記柄部に対する前記引っ掛け部の角度を調節することができる角度調節機構と
を備え、
前記角度調整機構は、
前記引っ掛け部に設けられる接続部と、
前記柄部に挿入される操作帯と、
前記接続部に挿入嵌合されると共に前記操作帯に連結される回転棒と、
前記操作帯に連結され、前記回転棒を介して前記柄部に対する前記引っ掛け部の角度を調整することが可能である手元調整部と
を有する
容器引っ掛け棒。
【請求項２】
前記柄部の基端側に設けられ、前記柄部に対する前記引っ掛け部の角度を固定する角度固定部と、
前記角度の固定を解除する解除レバーと
をさらに備える
請求項１に記載の容器引っ掛け棒。
【請求項３】
請求項１または２に記載の容器引っ掛け棒の使用方法であって、
前記引っ掛け部の一対の爪部の隙間に容器の縁部を挿入させた後、前記手元調整部の操作によって前記柄部に対する前記引っ掛け部の角度を調整することにより前記爪部に容器の重さを加えて前記爪部を前記容器の外側面に圧着させる状態とし、そのままの状態で前記容器を持ち上げる
容器引っ掛け棒の使用方法。
【請求項４】
請求項２に記載の容器引っ掛け棒の使用方法であって、
前記引っ掛け部の一対の爪部の隙間に容器の縁部を挿入させた後、前記手元調整部の操作によって前記柄部に対する前記引っ掛け部の角度を調整することにより前記爪部に容器の重さを加えてから前記角度固定部により前記柄部に対する前記引っ掛け部の角度を固定して前記爪部を前記容器の外側面に圧着させる状態とし、そのままの状態で前記容器を持ち上げて前記容器を離れた場所に置いた後、前記解除レバーによって前記角度の固定を解除して前記容器を前記爪部から外す
容器引っ掛け棒の使用方法。
【発明の詳細な説明】
【技術分野】
【０００１】
本発明は、高所や離れた場所に置かれた容器を入手する容器引っ掛け棒およびその使用方法に関する。
【背景技術】
【０００２】
従来、一般家庭では高所に置かれた容器を入手するには、踏台や脚立を利用し、また離れた所ではマジックハンドの使用が一般的である。
【発明の概要】
【発明が解決しようとする課題】
【０００３】
上述の従来の方法では、踏台や脚立を利用する場合は転倒する可能性があって危険性を伴う。そして狭い場所では踏台や脚立を安定して設置することができない場合もあって不便である。また、車椅子利用者や足に障害がある人にとっては、踏台や脚立の利用は無理であるため、自力で入手するのは不可能であった。
【０００４】
また、高所に置かれた物体に対応することができるマジックハンドは少なく、離れた場所の場合、マジックハンドでは物体を直接掴み取るため、物体の形体に制限があり、繊細な物体では形体を損なう場合もあった。
【０００５】
本発明は、上記した問題を解決するものとして創案されたものであって、本発明が解決しようとする課題は、踏台や脚立に乗らず、またマジックハンドを利用することなく離れた場所の容器を入手することができるようにすることである。
【課題を解決するための手段】
【０００６】
本発明は、上記の目的を達成する為に、隙間を介して対向する一対の爪部を有する引っ掛け部と、引っ掛け部から延びる筒型状の柄部と、柄部に対する引っ掛け部の角度を調節することができる角度調節機構とを備えた引っ掛け棒を提供する。この角度調節機構は、柄部に挿入される操作帯と、引っ掛け部に設けられる接続部と、接続部に挿入嵌合されると共に操作帯に連結される回転棒と、操作帯に連結され、回転棒を介して柄部に対する引っ掛け部の角度を調整することが可能である手元調整部を有する。狭い場所に置かれた容器や容器の周りに障害物が有って柄部を動かせない場合は、手元調整部を操作して引っ掛け部を傾斜させて容器を入手することができるようにした。
【０００７】
この引っ掛け棒は、様々な高さに置かれた容器を入手することができる。
【０００８】
柄部の基端側に設けられた手元調整部内には、柄部に対する引っ掛け部の角度を固定する角度固定部と、角度の固定を解除する解除レバーとをさらに設けた。このことで手元調整部の操作によって引っ掛け部を傾斜させた時、傾斜によって爪部に加わる容器の重さで爪部の傾斜が戻らないようにすると共に、爪部を容器から容易に外すことができるようにした。
【０００９】
引っ掛け棒の柄部が移動可能の場合は、引っ掛け部の一対の爪部のうちの片方の爪部（以下「第１爪部」という）を容器の上部内側に密着させると共に、もう片側の爪部（以下「第２爪部」という）を容器の外側面に密着させ、柄部を容器側に押すことによって、第１爪部が容器を手前に倒すと共に第２爪部がその反対側に容器を押す状態とし、そのままの状態で容器を持ち上げて、容器を入手することができる。
【００１０】
また、柄部の移動が不可能な場合は、引っ掛け部の一対の爪部の隙間に容器の縁部を挿入させた後、手元調整部の操作によって柄部に対する引っ掛け部の角度を調整することにより爪部に容器の重さを加えて爪部を容器の外側面に圧着させる状態とし、そのままの状態で容器を持ち上げて、容器を入手することができる。
【００１１】
また、引っ掛け棒に角度固定部および解除レバーが設けられる場合は、引っ掛け部の一対の爪部の隙間に容器の縁部を挿入させた後、手元調整部の操作によって柄部に対する引っ掛け部の角度を調整することにより爪部に容器の重さを加えてから角度固定部により柄部に対する引っ掛け部の角度を固定して爪部を容器の外側面に圧着させた状態とし、そのままの状態で容器を持ち上げて容器を離れた場所に置くことができると共に、解除レバーによって角度の固定を解除して容器を爪部から容易に外すことができる。
【発明の効果】
【００１２】
本発明によれば、多様な場所に置かれた容器を引っ掛け棒で入手することを可能にした。また健常者にとっては容器の設置場所が取得可能な場所であっても、車椅子や足に障害がある人にとっては障害物がある場合や狭くて容器の傍に近寄れない場合でも、離れた場所から容器を入手したり、別の場所に移動させたりすることができるようにした。このため、健常者のみならず障害者に対してもこの器具を利用する事で生活が便利になると考えられる。
【図面の簡単な説明】
【００１３】
【図１】本発明の実施の形態にかかる引っ掛け棒の斜視図である。
【図２】本発明の実施の形態にかかる引っ掛け部で容器の縁部を引っ掛けた状態を示す斜視図である。
【図３】本発明の実施の形態にかかる引っ掛け棒で容器を持ち上げた時の斜視図である。
【図４】図１の引っ掛け部のＡ−Ａの断面図である。
【図５】引っ掛け部と柄部の接続部の分解斜視図である。
【図６】引っ掛け部の断面図である。
【図７】把持部の内部斜視図である。
【発明を実施するための形態】
【００１４】
以下、本発明の実施の形態について、図面を参照しながら詳細に説明する。
【００１５】
図１は、本発明の実施形態にかかる引っ掛け棒の概要図である。この引っ掛け棒は、引っ掛け部１と、引っ掛け部１から延びた柄部３と、柄部３の基端側に設けた把持部５とで構成される。把持部５には、引っ掛け部１の角度を調整可能にした手元調整部６ａを備えている。手元調整部６ａによる角度調整は、柄部３に挿通させた操作帯４を介して、引っ掛け部と柄部の接続部２ａに挿入嵌合させた回転棒２ｃに動力を伝達することによって行われる。そして、引っ掛け部１の爪部１ａ，１ｂを容器の縁部に引っ掛けてから柄部３を移動するか、もしくは手元調整部６ａの駆動によって爪部１ａ，１ｂを容器の外側面に圧着させることで容器を入手することができる。
【００１６】
図２に示されるように、引っ掛け部１の爪部上部１ａを容器の上部内側に、爪部下部１ｂを容器の外側面に密着させた後、柄部３を容器側に押すことによって、爪部上部１ａが容器を手前に倒すと共に爪部下部１ｂがその反対側に容器を押す状態となる。このようにすることによって、爪部上部１ａと爪部下部１ｂでは容器に対して相反する力が働き、爪部１ａ，１ｂは容器の外側面に密着する。爪部１ａ，１ｂが容器に密着した状態で容器を持ち上げると、爪部下部１ｂに容器の重さが加わると共に爪部上部１ａには爪部下部１ｂとは反対方向に力が働く。このため、一対の爪部１ａ，１ｂに容器の外側面が圧着し、容器を落とすことなく入手することができる様になる（図３参照）。
【００１７】
しかし、容器の置かれている位置によっては、柄部３に対する引っ掛け部１の角度を変えなければならない。容器が高所に置かれている場合は柄部３に対して引っ掛け部１の角度を鋭角にしたままで容器を入手することができるが、平行な場合や低所の場所に置かれている場合は爪部１ａ，１ｂが容器の縁部に引っ掛かる様に柄部３に対する引っ掛け部１の角度を変えなければならない。そこで、この引っ掛け棒には、図４に示されるように、引っ掛け部１と操作帯４を接続する為に引っ掛け部１の左右域に設けた接続部２ａに、操作帯４と角度調整可能に連結している回転棒２ｃを接続部２ａに挿入嵌合させることによって、柄部３に対する引っ掛け部１の角度を調整することができるようにした角度調整機構を設けた。
【００１８】
角度調整機構では、図５に示すように、引っ掛け部１の接続部２ａに回転棒２ｃが凹凸嵌合されると共に、図４に示すように、接続部２ａの内にバネ２ｄが設置され、反対側に解除レバー２ｂが設けられている。この解除レバー２ｂを押し続けることで凹凸嵌合が解除され、操作帯４によって引っ掛け部１の角度を調整することができる。柄部３に対する引っ掛け部１の角度が決まれば解除レバー２ｂから手を離す。すると、バネ２ｄの作用で接続部２ａと回転棒２ｃが速やかに嵌合して、操作帯４の動きが引っ掛け部１に反映されるようになる。この角度調整機構を設けて柄部３に対する引っ掛け部１の角度を調整することができるようにしたことによって、容器の入手可能範囲を高所から低所までとした。このため、この引っ掛け棒を用いれば、車椅子や足に障害のために容器の傍に行けなくても椅子に座ったままで容器を入手することができるようになる。
【００１９】
入手したい容器が狭い場所にある場合や、また障害物等があって柄部３を自由に動かすことができない場合は、図７に示されるように、把持部５に設けた手元調整部６ａを駆動させることにより、手元調整部６ａに連結された回転棒６ｂが回転し、回転棒６ｂの回転は操作帯４を介して、引っ掛け部１の接続部２ａに凹凸嵌合している回転棒２ｃに伝達される。そして、回転棒２ｃの回転は、引っ掛け部１を傾斜させることになる。このように引っ掛け部１を傾斜させることで、この引っ掛け棒の使用者は、一対の爪部１ａ，１ｂを容器の外側面に圧着させて容器を入手することができるようになる。
【００２０】
また、手元調整部６ａに連結されている回転棒６ｂに爪車８を設けると共に、爪車８を掛止する爪７ｂを備えたことによって、回転棒６ｂの回転を固定することができるようにした。この構成によって、回転棒６ｂの回転が操作帯４を介して接続部２ａに凹凸嵌合している回転棒２ｃに伝達されて引っ掛け棒を傾斜させた時、傾斜によって爪部１ａ，１ｂにかかる容器の重さで引っ掛け部１が逆移動しないようにした。このため、この引っ掛け棒の使用者は、引っ掛け部１の爪部１ａ，１ｂを容器の外側面に圧着させて容器を入手することができる。
【００２１】
そして、回転棒６ｂに設けられた爪車８を掛止している爪７ｂには、掛止を外せるように解除レバー７ａを設けた。このため、容器を離れた場所に置く場合、爪部１ａ，１ｂが容器の縁部から外れ難い時は解除レバー７ａで掛止を解除する。その際、手元調整部６ａが逆回転して引っ掛け部１の角度を戻せるようになり、引っ掛け棒の使用者は、爪部１ａ，１ｂを容器から容易に外すことができるようになる。
【００２２】
この引っ掛け棒は、対向する一対の爪部１ａ，１ｂに容器の縁部を引っ掛けて、容器の重さを利用して爪部１ａ，１ｂに圧着することによって容器を入手することができる。このため、この引っ掛け棒は、爪部１ａ，１ｂに引っ掛けることができるなら容器でなく物体でも入手することができる。また、この引っ掛け棒は、爪部１ａ，１ｂを容器に収納して容器を入手するので、把持することができないような繊細な物体であってもその物体を容器に収納することができればその物体を入手することができる。また、容器は、爪部１ａ，１ｂに容器の縁部が引っ掛かり、容器を持ち上げた時に容器の外側面が容器に収納されている物体の重さに耐えるだけの強度があればよい。また、容器の形体も、縁部が爪部１ａ，１ｂに引っ掛かればよいので多種多様の大きさであってよい。ただ、この引っ掛け棒は、多種多様の材質や形体の容器を入手することができるが、容器が滑り易い材質でつくられている場合、爪部１ａ，１ｂの表面に滑りにくい材質を用いた方がより安全な取得に繋がると思われる。
【符号の説明】
【００２３】
１      引っ掛け部
１ａ    爪部上部
１ｂ    爪部下部
２ａ    接続部
２ｂ    角度調整レバー
２ｃ    回転棒
２ｄ    バネ
３      柄
４      操作帯
５      把持部
６ａ    手元調整部
６ｂ    回転棒
７ａ    解除レバー
７ｂ    爪
８      爪車
【要約】
【課題】踏台や脚立に乗らず、またマジックハンドを利用する事なく離れた場所の容器を入手出来るようにすることである。
【解決手段】隙間を介して対向する一対の爪部を有する引っ掛け部と、引っ掛け部から延びる柄部とを備え、柄部に対する引っ掛け部の角度を調節出来るようにした角度調整機能を柄部と引っ掛け部の接続部に備えた事で、様々な高さに置かれたの容器を入手可能にした。
【選択図】図１【図１】
0005837669.tif 000002
【図２】
0005837669.tif 000003
【図３】
0005837669.tif 000004
【図４】
0005837669.tif 000005
【図５】
0005837669.tif 000006
【図６】
0005837669.tif 000007
【図７】
0005837669.tif 000008